(57)【要約】【課題】液晶表示部の視認者の顔の向きや距離に応じて液晶表示部の表示を変更し、視認者に対する視認性を保つ。【解決手段】表示装置２４に近接して配置された自分側レンズ１５によって、表示装置２４の視認者を撮像する。撮像した画像信号から人物の顔を抽出し、さらに抽出した顔の向きを算出する。この算出した顔の向きに応じて、階調変換テーブルに基づいて表示部２４の階調を変更する。【選択図】  図５
2009282436.tif 000002
【特許請求の範囲】
【請求項１】
液晶表示部を有する液晶表示装置において、
前記液晶表示部を視認する視認者を第１のレンズを介して撮像して第１の画像信号に変換する第１の撮像手段と、
前記第１の画像信号から前記視認者の顔を検出する顔検出手段と、
前記顔検出手段の検出結果に基づいて前記液晶表示部の表示を制御する制御手段と、
を有することを特徴とする液晶表示装置。
【請求項２】
前記制御手段は、前記顔検出手段が検出した顔の向きに応じて前記液晶表示部の階調を制御することを特徴とする請求項１に記載の液晶表示装置。
【請求項３】
前記制御手段は、前記顔検出手段が検出した顔の向きに対応する階調テーブルに基づいて前記液晶表示部の階調を制御することを特徴とする請求項２に記載の液晶表示装置。
【請求項４】
前記制御手段は、前記顔検出手段が検出した顔の大きさに応じて前記液晶表示部の輝度及び階調の少なくとも一方を制御することを特徴とする請求項１から３のいずれかに記載の液晶表示装置。
【請求項５】
前記制御手段は、前記顔検出手段が検出した顔が小さいほど輝度を上げ、又は前記顔検出手段が検出した顔が小さいほど階調を上げることを特徴とする請求項４に記載の液晶表示装置。
【請求項６】
前記制御手段は、前記顔検出手段が検出した顔の方向に応じて前記液晶表示部の表示方向を制御することを特徴とする請求項１から５のいずれかに記載の液晶表示装置。
【請求項７】
前記第１のレンズは、前記液晶表示部に近接して配置されたことを特徴とする請求項１から６のいずれかに記載の液晶表示装置。
【請求項８】
前記顔検出手段が複数の視認者の顔を検出した場合に、基準となる視認者を選択する選択手段を備えたことを特徴とする請求項１から７のいずれかに記載の液晶表示装置。
【請求項９】
前記制御手段は、前記顔検出手段が所定時間視認者の顔を検出しない場合は、前記液晶表示部の電力削減を行うことを特徴とする請求項１から８のいずれかに記載の液晶表示装置。
【請求項１０】
前記制御手段は、前記液晶表示装置が所定時間以上操作されない場合に、前記液晶表示部の電力削減を行うことを特徴とする請求項９に記載の液晶表示装置。
【請求項１１】
前記液晶表示装置のぶれを検出する手段を備え、
前記制御手段は、所定時間以上ぶれが検出されない場合に、前記液晶表示部の電力削減を行うことを特徴とする請求項９に記載の液晶表示装置。
【請求項１２】
前記液晶表示部の電力削減は、前記液晶表示部の非表示、又はバックライト消灯であることを特徴とする請求項９から１１のいずれかに記載の液晶表示装置。
【請求項１３】
第２のレンズを介して被写体を撮像して第２の画像信号に変換する第２の撮像手段を備えたことを特徴とする請求項１から１２のいずれかに記載の液晶表示装置。
【請求項１４】
液晶表示部を視認する視認者を撮像して画像信号に変換する撮像工程と、
前記画像信号から前記視認者の顔を検出する顔検出工程と、
前記顔検出工程の検出結果に基づいて前記液晶表示部の表示を制御する制御工程と、
を有することを特徴とする液晶表示方法。
【発明の詳細な説明】
【技術分野】
【０００１】
本発明は液晶表示装置及び液晶表示方法に係り、特に、視認者との距離や向きに応じて表示を変更する液晶表示装置及び液晶表示方法に関する。
【背景技術】
【０００２】
デジタルカメラ等で撮影を行う場合、撮影者が液晶モニタを見る角度によっては液晶の視野角特性等の影響により、表示画像が見え難くなる。
【０００３】
特許文献１には、周囲の明るさに応じて自動的に表示部の明るさを調整することができる表示装置について記載されている。この技術によれば、屋外の明るい場所では表示部を明るくして見易さを改善し、屋内の暗い場所では表示部を暗くして見易さを改善するとともにバックライトの電力消費量を削減させることが可能となる。
【特許文献１】特開平９−６５１８１号公報
【発明の開示】
【発明が解決しようとする課題】
【０００４】
しかしながら、特許文献１においては、人の見る距離や向きに応じた制御ができないという問題点があった。
【０００５】
本発明はこのような事情に鑑みてなされたもので、視認者の顔の向きや距離に応じて表示を変更することが可能な液晶表示装置及び液晶表示方法を提供することを目的とする。
【課題を解決するための手段】
【０００６】
前記目的を達成するために請求項１に記載の液晶表示装置は、液晶表示部を有する液晶表示装置において、前記液晶表示部を視認する視認者を第１のレンズを介して撮像して第１の画像信号に変換する第１の撮像手段と、前記第１の画像信号から前記視認者の顔を検出する顔検出手段と、前記顔検出手段の検出結果に基づいて前記液晶表示部の表示を制御する制御手段とを有することを特徴とする。
【０００７】
このように、液晶表示部の視認者の顔の向きを算出し、算出した顔の向きに応じて液晶表示部の表示を制御するので、どの向きから見ても視認性のよい表示を行うことができる。
【０００８】
請求項２に示すように請求項１に記載の液晶表示装置において、前記制御手段は、前記顔検出手段が検出した顔の向きに応じて前記液晶表示部の階調を制御することを特徴とする。
【０００９】
これにより、液晶表示部を正面から見ない場合であっても、視認性をよくすることができる。
【００１０】
請求項３に示すように請求項２に記載の液晶表示装置において、前記制御手段は、前記顔検出手段が検出した顔の向きに対応する階調テーブルに基づいて前記液晶表示部の階調を制御することを特徴とする。
【００１１】
これにより、簡単に階調を制御することができる。
【００１２】
請求項４に示すように請求項１から３のいずれかに記載の液晶表示装置において、前記制御手段は、前記顔検出手段が検出した顔の大きさに応じて前記液晶表示部の輝度及び階調の少なくとも一方を制御することを特徴とする。
【００１３】
これにより、液晶表示部から離れても、視認性をよくすることができる。
【００１４】
請求項５に示すように請求項４に記載の液晶表示装置において、前記制御手段は、前記顔検出手段が検出した顔が小さいほど輝度を上げ、又は前記顔検出手段が検出した顔が小さいほど階調を上げることを特徴とする。
【００１５】
これにより、液晶表示部から離れても、視認性をよくすることができる。
【００１６】
請求項６に示すように請求項１から５のいずれかに記載の液晶表示装置において、前記制御手段は、前記顔検出手段が検出した顔の方向に応じて前記液晶表示部の表示方向を制御することを特徴とする。
【００１７】
これにより、どの方向からみても、天地を正しく表示することができる。
【００１８】
請求項７に示すように請求項１から６のいずれかに記載の液晶表示装置において、前記第１のレンズは、前記液晶表示部に近接して配置されたことを特徴とする。
【００１９】
これにより、視認者が液晶表示部を見ている向きを正しく算出することができる。
【００２０】
請求項８に示すように請求項１から７のいずれかに記載の液晶表示装置において、前記顔検出手段が複数の視認者の顔を検出した場合に、基準となる視認者を選択する選択手段を備えたことを特徴とする。
【００２１】
これにより、液晶表示部の視認者が複数いる場合に、選択された視認者に合わせて表示を制御することができる。
【００２２】
請求項９に示すように請求項１から８のいずれかに記載の液晶表示装置において、前記制御手段は、前記顔検出手段が所定時間視認者の顔を検出しない場合は、前記液晶表示部の電力削減を行うことを特徴とする。
【００２３】
これにより、無駄な電力を削減することができる。
【００２４】
請求項１０に示すように請求項９に記載の液晶表示装置において、前記制御手段は、前記液晶表示装置が所定時間以上操作されない場合に、前記液晶表示部の電力削減を行うことを特徴とする。
【００２５】
これにより、液晶表示部の表示が必要の無いときに電力削減することができる。
【００２６】
請求項１１に示すように請求項９に記載の液晶表示装置において、前記液晶表示装置のぶれを検出する手段を備え、前記制御手段は、所定時間以上ぶれが検出されない場合に、前記液晶表示部の電力削減を行うことを特徴とする。
【００２７】
これにより、液晶表示部の表示が必要の無いときに電力削減することができる。
【００２８】
請求項１２に示すように請求項９から１１のいずれかに記載の液晶表示装置において、前記液晶表示部の電力削減は、前記液晶表示部の非表示、又はバックライト消灯であることを特徴とする。
【００２９】
これにより、簡単に液晶表示部の電力削減を行うことができる。
【００３０】
請求項１３に示すように請求項１から１２のいずれかに記載の液晶表示装置において、第２のレンズを介して被写体を撮像して第２の画像信号に変換する第２の撮像手段を備えたことを特徴とする。
【００３１】
これにより、被写体を撮像する場合に、視認者が見やすい液晶表示を行うことができる。
【００３２】
前記目的を達成するために請求項１４に記載の液晶表示方法は、液晶表示部を視認する視認者を撮像して画像信号に変換する撮像工程と、前記画像信号から前記視認者の顔を検出する顔検出工程と、前記顔検出工程の検出結果に基づいて前記液晶表示部の表示を制御する制御工程とを有することを特徴とする。
【００３３】
このように、液晶表示部の視認者の顔の向きを算出し、算出した顔の向きに応じて液晶表示部の表示を制御するので、どの向きから見ても視認性のよい表示を行うことができる。
【発明の効果】
【００３４】
本発明によれば、液晶表示部の視認者の顔の向きを算出し、算出した顔の向きに応じて液晶表示部の表示を制御するので、どの向きから見ても視認性のよい表示を行うことが可能となる。
【発明を実施するための最良の形態】
【００３５】
以下、添付図面に従って本発明を実施するための最良の形態について説明する。
【００３６】
＜第１の実施の形態＞
図１は、第１の実施の形態の携帯電話１の電気的構成を示すブロック図である。このブロック図では、主にデジタルカメラ部１０について示しており、通話やＥメールの送受信等に関する構成要素は省略している。
【００３７】
同図に示すように、本実施の形態の携帯電話１は、相手側（被写体側）レンズ１１、モータドライバ１２、第１のＣＣＤ１３、第１のアナログフロントエンド部（ＡＦＥ）１４、自分側（撮影者側）レンズ１５、第２のＣＣＤ１６、第２のアナログフロントエンド部（ＡＦＥ）１７、ＣＰＵ１８、顔抽出ＩＣ１９、向き算出部２０、メモリ２１、外部メモリ２２、信号処理ＩＣ２３、表示装置２４等を備えて構成されている。
【００３８】
各部はＣＰＵ１８に制御されて動作し、ＣＰＵ１８は、所定の制御プログラムを実行することにより、デジタルカメラ部１０の各部を制御する。
【００３９】
モータドライバ１２は、ＣＰＵ１８からの指令に基づいて相手側レンズ１１のズームレンズ、フォーカスレンズを駆動し、相手側レンズ１１のズーミング、フォーカシングを行う。
【００４０】
相手側レンズ１１は、被写体光を透過し、第１のＣＣＤ１３に受光させる。
【００４１】
第１のＣＣＤ１３は、相手側レンズ１１により透過された被写体光を受光し、画像信号に変換する。ＣＣＤ１３から出力される画像信号はアナログ信号であり、このアナログの画像信号は、ＡＦＥ１４に入力され、画素ごとＲ、Ｇ、Ｂの濃度を示す階調値を有するデジタルの画像信号に変換され、ＣＰＵ１８に入力される。ＣＰＵ１８は、このデジタルの画像信号をメモリ２１に記憶させる。
【００４２】
図２に示すように、相手側レンズ１１と自分側レンズ１５は、１８０°異なる方向を撮像するように筐体の表と裏に配置され、相手側レンズ１１を被写体に向けると、自分側レンズ１５が撮影者１００を撮像可能に配置されている。自分側レンズ１５は、撮影者１００からの光を透過し、第２のＣＣＤ１６へ受光させる。ここで、撮影者１００が自分側レンズ１５を見た場合の顔の向きと、撮影者１００が表示装置２４を見た場合の撮影者１００の顔の向きとがほぼ同じ向きとなるように、自分側レンズ１５は表示装置２４に近接するように配置されている。
【００４３】
第２のＣＣＤ１６は、自分側レンズ１５により透過された撮影者光を受光し、画像信号に変換する。この画像信号は、ＡＦＥ１７においてデジタル信号に変換され、ＣＰＵ１８に入力される。ＣＰＵ１８は、この画像信号もメモリ２１に記憶させる。
【００４４】
メモリ２１は、前述のように撮像した画像を記憶する記憶領域として使用される他、ＣＰＵ１８が図示しないＲＯＭからプログラムをロードする作業領域としても使用される。
【００４５】
信号処理ＩＣは、メモリ２１に記憶された画像信号に所定の処理を施し、外部メモリ２２に記憶させるための形式の信号や、表示装置２４に表示させるための信号に変換する。
【００４６】
外部メモリ２２は、携帯電話１に着脱可能に構成され、前述のように画像信号が記録される。
【００４７】
表示装置２４は、バックライトを備えた液晶ディスプレイであり、携帯電話１で撮像を行う際のスルー画の表示や、外部メモリ２２に記憶された画像の表示、ユーザが携帯電話１の機能設定を行う際のＧＵＩ表示等を行う。また、後述するように、ＣＰＵ１８からの指令により表示の階調を変更することが可能となっている。
【００４８】
顔抽出ＩＣ１９は、メモリ２１に記憶された自分側レンズ１５によって撮像された画像信号を解析して、画像中の撮影者１００の顔を抽出し、その結果をＣＰＵ１８に出力する。向き算出部２０は、顔抽出ＩＣ１９が抽出した画像中の顔について、顔の中の目、鼻、口の位置に基づいて、携帯電話１に対する顔の向きを算出する。例えば、横方向の向きについて、携帯電話１に対して真正面に顔が向いている場合は０°、真横を向いている場合は９０°のように算出し、縦方向の向きについて、真正面に顔が向いている場合は０°、真上や真下を向いている場合は９０°のように算出する。
【００４９】
図３は、自分側レンズ１５を介して第２のＣＣＤ１６において撮像された撮影者１００の顔を示す図である。また、図４は、図３に示すＣＣＤ１６の出力信号に基づいて顔抽出ＩＣ１９が顔を抽出し、顔抽出ＩＣ１９の出力を基に向き算出部が算出した顔の向きの一覧表である。
【００５０】
図３に示すように、例えばａの顔は、第２のＣＣＤ１６の撮像範囲の左上に存在し、左上方向から表示装置２４を見ている。顔抽出ＩＣ１９は、この顔を抽出し、さらに向き算出部２０は、抽出されたａの顔の向きを算出する。図４に示すように、ａの顔について算出された顔の向きは、横の向きが右４５°、縦の向きが下４５°となっている。
【００５１】
次に、携帯電話１における表示装置２４の階調補正処理について、図５を用いて説明する。
【００５２】
最初に、自分側レンズ１５を介して第２のＣＣＤ１６において撮像された画像信号から、顔抽出ＩＣ１９が人物の顔を抽出し、ＣＰＵ１８は、顔が抽出されたか否かを判定する（ステップＳ１）。
【００５３】
顔が抽出されない場合は、処理を終了する。顔が抽出された場合は、向き算出部２０が抽出された顔の向きを算出し（ステップＳ２）、この算出された顔の向きと、現在の表示装置２４の階調設定とを比較し、最適な階調設定になっているか否かを判定する（ステップＳ３）。
【００５４】
図６に、入力される画像信号と、正面から見たときの階調との関係について示す。同図に示すように、実線で示した階調が正面から見たときの最適階調であり、点線で示した階調は、撮影者１００の顔の向きに応じて最適となる階調である。このように、携帯電話１は、メモリ２１に複数の階調変換テーブルを備えており、算出された顔の向きに応じて最適な階調変換テーブルを使用することにより、撮影者１００にとって見やすい表示を行う。
【００５５】
最適な階調設定になっている場合は、処理を終了する。最適な階調設定になっていない場合は、算出した顔の向きに対応した階調変換テーブルをメモリ２１から読み出し、階調変換を行う（ステップＳ４）。
【００５６】
このように、撮影者１００が表示装置２４を見ている向きを算出し、算出した向きに応じた階調変換を行うことで、黒潰れや白とびがなく、視認性を保つことが可能となる。
【００５７】
＜第２の実施の形態＞
図７は、第２の実施の形態の携帯電話１の電気的構成を示すブロック図である。なお、図１に示すブロック図と共通する部分には同一の符号を付し、その詳細な説明は省略する。図１に示すブロック図とは、向き算出部２０の代わりに距離算出部２５を備えたところが異なっている。
【００５８】
距離算出部２５は、顔抽出ＩＣ１９が抽出した顔の大きさに基づいて、撮影者１００と表示装置２４との距離について算出する。図８に示すように、表示装置２４から遠い場合は、自分側レンズ１５を介して撮像された画像信号から抽出される顔は小さく、表示装置２４から近い場合は、抽出される顔は大きいはずである。このように、抽出された顔と、標準の顔の大きさを比較することにより、撮影者１００と表示装置２４との距離を算出することが可能である。
【００５９】
次に、第２の実施の形態の、表示装置２４の階調補正処理について、図９を用いて説明する。
【００６０】
最初に、自分側レンズ１５を介して第２のＣＣＤ１６において撮像された画像信号から、顔抽出ＩＣ１９が人物の顔を抽出し、ＣＰＵ１８は、顔が抽出されたか否かを判定する（ステップＳ１１）。
【００６１】
顔が抽出されない場合は、処理を終了する。顔が抽出された場合は、距離算出部２５が抽出された顔と表示装置２４との距離を算出する（ステップＳ１２）。さらに、この算出された顔の距離と、現在の表示装置２４の輝度と階調設定とを比較し、最適な輝度と階調設定になっているか否かを判定する（ステップＳ１３）。
【００６２】
図１０（ａ）に、算出された距離と、最適な表示装置２４の輝度との関係について示す。同図に示すように、距離が離れるほど表示装置２４の輝度を上げた方が見やすくなるため、距離に応じて表示装置２４のバックライトの輝度を上げる。
【００６３】
また、図１０（ｂ）に、入力される画像信号と、正面から見たときの階調との関係について示す。図６と同様に、実線で示した階調が正面から見たときの最適階調である。同図に示すように、算出された距離が小さい場合は階調を下げ、距離が大きい場合は階調を上げる。
【００６４】
このように、携帯電話１は、メモリ２１に複数の輝度変更テーブルと階調変換テーブルを備えている。
【００６５】
最適な階調設定、バックライト設定になっている場合は、処理を終了する。最適な階調設定、バックライト設定になっていない場合は、算出した距離に応じて、輝度と階調を変更する（ステップＳ１４）。
【００６６】
このように、撮影者１００と表示装置２４との距離を算出し、算出した距離に応じて輝度の変更と階調変換を行うことで、視認性を保つことが可能となる。
【００６７】
＜第３の実施の形態＞
図１１は、第３の実施の形態の携帯電話１の電気的構成を示すブロック図である。なお、図１に示すブロック図と共通する部分には同一の符号を付し、その詳細な説明は省略する。図１に示すブロック図とは、向き算出部２０の代わりに方向算出部２６を備えたところが異なっている。
【００６８】
方向算出部２６は、顔抽出ＩＣ１９が抽出した顔の方向について算出する。図１２に示すように、顔の方向とは、撮影者１００が表示装置２４のどの方向から見ているのかを示すものである。図１２（ａ）の顔の方向を０°とすると、図１２（ｂ）の顔の方向は２２５°と表すことができる。
【００６９】
次に、第３の実施の形態の、表示装置２４の表示方向の調整処理について、図１４を用いて説明する。
【００７０】
これまでと同様に、自分側レンズ１５を介して第２のＣＣＤ１６において撮像された画像信号から、顔抽出ＩＣ１９が人物の顔を抽出し、ＣＰＵ１８は、顔が抽出されたか否かを判定する（ステップＳ２１）。
【００７１】
顔が抽出されない場合は、処理を終了する。顔が抽出された場合は、方向算出部２６が抽出された顔の方向を算出する（ステップＳ２２）。さらに、この算出された顔の方向と、現在の表示装置２４の表示方向とを比較し、最適な表示方向になっているか否かを判定する（ステップＳ２３）。
【００７２】
すでに最適な表示方向になっている場合は、そのまま処理を終了する。最適な表示方向でない場合は、算出された顔の方向に基づいて、表示装置２４の表示方向を変更する（ステップＳ２４）。
【００７３】
例えば、自分側レンズ１５を介して撮像された画像信号から図１２（ａ）のように顔が検出された場合は、図１３（ａ）に示すように表示装置２４の表示方向を制御する。また、図１２（ｂ）のように顔が検出された場合は、図１３（ｂ）に示すように表示装置２４の表示方向を制御する。このように、撮影者１００が表示装置２４を見る方向に応じて表示装置２４の表示方向を変更することで、撮影者１００は、どの方向から表示装置２４を見ても天地の正しい画面を視認することが可能となる。
【００７４】
第１の実施の形態では顔の向きに応じて階調を変更し、第２の実施の形態では顔との距離に応じて輝度と階調を変更し、第３の実施の形態では顔の方向に応じて表示方向を変更したが、これらを組み合わせて、階調と輝度と方向を変更してもよい。このように構成することで、さらに表示装置２４の視認性をよくすることが可能となる。
【００７５】
＜第４の実施の形態＞
図１５は、第４の実施の形態の携帯電話１の電気的構成を示すブロック図である。なお、図１に示すブロック図と共通する部分には同一の符号を付し、その詳細な説明は省略する。図１に示すブロック図とは、撮影者選択部２７を備えたところが異なっている。
【００７６】
撮影者選択部２７は、自分側レンズ１５を介して撮像した画像信号に対して顔抽出ＩＣ１９が複数の顔を抽出した場合に、ユーザが撮影者１００を選択するための操作部材であり、十字キー等が適している。
【００７７】
次に、第４の実施の形態の、表示装置２４の階調補正処理について、図１６を用いて説明する。
【００７８】
これまでと同様に、自分側レンズ１５を介して第２のＣＣＤ１６において撮像された画像信号から、顔抽出ＩＣ１９が人物の顔を抽出し、ＣＰＵ１８は、顔が抽出されたか否かを判定する（ステップＳ３１）。
【００７９】
顔が抽出されない場合は、処理を終了する。顔が抽出された場合は、抽出された顔が複数であるか否かを判定する（ステップＳ３２）。抽出された顔が１つの場合は、ステップＳ３４へ移行し、向き算出部２０により抽出された顔の向きを算出し、算出された向きに応じて表示装置２４の階調補正を行う。
【００８０】
抽出された顔が複数の場合は、自分側レンズ１５を介した画像信号をメモリ２１から読み出し、表示装置２４に表示する。図１７に示すように、表示装置２４には、抽出された複数の顔についてそれぞれ顔検出枠１０１が表示される。この表示を見ながら、ユーザは撮影者選択部２７を用いて撮影者１００を選択する。複数の顔検出枠１０１のうち、１つだけが太枠となっており、撮影者選択部２７を操作することにより、この太枠が順に移動する。ユーザは、撮影者１００の顔の枠が太枠になるように撮影者選択部２７を操作し、決定する（ステップＳ３３）。この太枠は、太さは同じで色の異なる枠であってもよい。
【００８１】
撮影者１００が選択されると、向き算出部２０により抽出された顔の向きを算出し、算出された向きに応じて表示装置２４の階調補正を行う（ステップＳ３４）。
【００８２】
このように、自分側レンズ１５に複数の顔が抽出された場合であっても、撮影者１００を選択することにより、撮影者１００に対する視認性を保つことが可能となる。本実施の形態では選択された撮影者１００の顔の向きに応じて階調を変更したが、選択された撮影者１００の顔との距離に応じて輝度と階調を変更してもよいし、選択された撮影者１００の顔の方向によって表示方向を変更してもよいし、これらの制御を組み合わせてもよい。
【００８３】
＜第５の実施の形態＞
本発明に係る携帯電話１は、自分側レンズ１５を備え、撮影者１００の顔を検出するように構成されているため、撮影者１００が不在であることを検出することも可能である。
【００８４】
図１８は、撮影者１００の存在を確認する処理を示すフローチャートである。ＣＰＵ１８が、一定時間以上携帯電話１が操作されなかったと判断すると（ステップＳ４１）、ＣＰＵ１８は、顔抽出ＩＣに自分側レンズ１５を介して撮像された画像信号から顔抽出を行わせ、顔の有無について判定する（ステップＳ４２）。
【００８５】
顔が抽出された場合は、処理を終了する。顔が抽出されなかった場合は、ＣＰＵ１８は、表示装置２４を液晶節電モードに設定する（ステップＳ４３）。この液晶節電モードは、表示装置２４の表示をオフしてもよいし、表示装置２４のバックライトをオフしてもよい。
【００８６】
このように、一定時間以上操作が行われず、かつ顔が抽出されない場合には、誰も表示装置２４を見ていないと判断し、表示装置２４の節電を行うことにより、消費電力の削減が可能となる。
【００８７】
なお、携帯電話１のカメラ機能が手ぶれ補正機能を備えている場合には、手ぶれを検出して撮影者１００の不在検出のトリガにしてもよい。
【００８８】
図１９は、携帯電話１のカメラ機能が手ぶれ補正機能を備えている場合の電気的構成を示すブロック図である。なお、図１に示すブロック図と共通する部分には同一の符号を付し、その詳細な説明は省略する。図１に示すブロック図とは、手ぶれ補正ＩＣ２８を備えたところが異なっている。
【００８９】
手ぶれ補正ＩＣ２８は、携帯電話１のぶれを検出することが可能であり、撮像時にぶれを検出した場合には、ぶれの量と方向に合わせて撮像素子を移動させ、撮像した画像のぶれを補正する。また、検出したぶれの結果をＣＰＵ１８に出力可能に構成されている。
【００９０】
図２０は、手ぶれ補正ＩＣ２８を備えた場合の撮影者１００の存在を確認する処理を示すフローチャートである。
【００９１】
まず、手ぶれ補正ＩＣ２８が携帯電話１のぶれを検出する。ぶれ検出は、連続で行なってもよいし、所定時間毎に行ってもよい。手ぶれ補正ＩＣ２８の出力から、ＣＰＵ１８が一定時間以上ぶれを検出しなかったと判断すると（ステップＳ５１）、ＣＰＵ１８は、顔抽出ＩＣに自分側レンズ１５を介して撮像された画像信号から顔抽出を行わせ、顔の有無について判定する（ステップＳ５２）。
【００９２】
顔が抽出された場合は、処理を終了する。顔が抽出されなかった場合は、ＣＰＵ１８は、表示装置２４を液晶節電モードに設定する（ステップＳ４３）。この液晶節電モードは、表示装置２４の表示をオフしてもよいし、表示装置２４のバックライトをオフしてもよい。
【００９３】
このように、一定時間以上ぶれが検出されず、かつ顔が抽出されない場合には、誰も表示装置２４を見ていないと判断し、表示装置２４の節電を行うことにより、消費電力の削減が可能となる。
【図面の簡単な説明】
【００９４】
【図１】図１は、第１の実施の形態の携帯電話１の電気的構成を示すブロック図である。
【図２】図２は、自分側レンズ１５、表示装置２４、撮影者１００の配置を示す図である。
【図３】図３は、自分側レンズ１５を介して第２のＣＣＤ１６において撮像された撮影者１００の顔を示す図である。
【図４】図４は、図３に示す顔について、向き算出部が算出した顔の向きの一覧表である。
【図５】図５は、第１の実施の形態の表示装置２４の階調補正処理を示すフローチャートである。
【図６】図６は、入力される画像信号と、正面から見たときの階調との関係について示した図である。
【図７】図７は、第２の実施の形態の携帯電話１の電気的構成を示すブロック図である。
【図８】撮影者１００と表示装置２４との距離に応じた、抽出される顔の大きさの違いについて示す図である。
【図９】図９は、第２の実施の形態の表示装置２４の階調補正処理を示すフローチャートである。
【図１０】図１０は、算出された距離に応じた最適な輝度と階調について示した図である。
【図１１】図１１は、第３の実施の形態の携帯電話１の電気的構成を示すブロック図である。
【図１２】図１２は、抽出された顔の方向について示す図である。
【図１３】図１３は、抽出された顔の方向に応じた表示方向の変更について示す図である。
【図１４】図１４は、第３の実施の形態の表示装置２４の表示方向の調整処理を示すフローチャートである。
【図１５】図１５は、第４の実施の形態の携帯電話１の電気的構成を示すブロック図である。
【図１６】図１６は、第４の実施の形態の撮影者選択処理を示すフローチャートである。
【図１７】図１７は、自分側レンズ１５を介して撮像した画像信号から抽出された複数の顔について示した図である。
【図１８】図１８は、表示装置２４の節電モード投入処理を示すフローチャートである。
【図１９】図１９は、第５の実施の形態の電気的構成を示すブロック図である。
【図２０】図２０は、手ぶれ補正ＩＣを用いた場合の表示装置２４の節電モード投入処理を示すフローチャートである。
【符号の説明】
【００９５】
１…携帯電話、１１…相手側レンズ、１２…モータドライバ、１３…第１のＣＣＤ、１４…第１のアナログフロントエンド、１５…自分側レンズ、１６…第２のＣＣＤ、１７…第２のアナログフロントエンド、１８…ＣＰＵ、１９…顔抽出ＩＣ、２０…向き算出部、２１…メモリ、２２…外部メモリ、２３…信号処理ＩＣ、２４…表示装置、２５…距離算出部、２６…方向算出部、２７…撮影者選択部、１００…撮影者、１０１…顔検出枠
【図１】
2009282436.tif 000003
【図２】
2009282436.tif 000004
【図３】
2009282436.tif 000005
【図４】
2009282436.tif 000006
【図５】
2009282436.tif 000007
【図６】
2009282436.tif 000008
【図７】
2009282436.tif 000009
【図８】
2009282436.tif 000010
【図９】
2009282436.tif 000011
【図１０】
2009282436.tif 000012
【図１１】
2009282436.tif 000013
【図１２】
2009282436.tif 000014
【図１３】
2009282436.tif 000015
【図１４】
2009282436.tif 000016
【図１５】
2009282436.tif 000017
【図１６】
2009282436.tif 000018
【図１７】
2009282436.tif 000019
【図１８】
2009282436.tif 000020
【図１９】
2009282436.tif 000021
【図２０】
2009282436.tif 000022